(57)【要約】【課題】  見やすくかつユーザの多様な要望に応え得る印字機能を有する画像形成装置を提供する。【解決手段】  本発明の画像形成装置は、原稿群を構成する各原稿に記載されている画像を読み取るとともに、該画像を複数の記録材に対し形成する際、当該画像とは別にページ情報を当該記録材に印字することが可能な画像形成装置において、各々番号を付しつつ二以上の小部の原稿束に関する分別・設定を実施し得るとともに、当該二以上の小部の原稿束により前記原稿群を構成する入力手段と、前記ページ情報の前記記録材に対する印字を前記番号に対応した形式で、かつ当該記録材に対する前記画像の形成とともに実施する制御手段を備えている。【選択図】    図２
2007221811.tif 000002
【特許請求の範囲】
【請求項１】
原稿群を構成する各原稿に記載されている画像を読み取るとともに、該画像を複数の記録材に対し形成する際、当該画像とは別にページ情報を当該記録材に印字することが可能な画像形成装置において、
各々番号を付しつつ二以上の小部の原稿束に関する分別・設定を実施し得るとともに、当該二以上の小部の原稿束により前記原稿群を構成する入力手段と、
前記ページ情報の前記記録材に対する印字を前記番号に対応した形式で、かつ当該記録材に対する前記画像の形成とともに実施する制御手段を備えていることを特徴とする画像形成装置。
【請求項２】
前記番号は、前記原稿束を一単位として付す章番号であることを特徴とする請求項１記載の画像形成装置。
【請求項３】
前記分別・設定は、前記章番号を変更しようとする原稿が、前記原稿群内の何枚目に位置するかを指定することによって実施することを特徴とする請求項２記載の画像形成装置。
【請求項４】
前記番号は、前記原稿束を画像形成上の一単位として付すＪＯＢ番号であることを特徴とする請求項１記載の画像形成装置。
【請求項５】
前記読み取りを、前記原稿群を構成する全原稿について一括して行った後に、
前記ページ情報の前記記録材に対する印字を前記全原稿の数の印字と併せて、かつ当該記録材に対する前記画像の形成とともに実施する制御手段を備えていることを特徴とする請求項１記載の画像形成装置。
【発明の詳細な説明】
【技術分野】
【０００１】
本発明は、画像形成装置に関するものである。
【背景技術】
【０００２】
従来、画像形成装置としては、プラテンガラス（原稿ガラス）上に原稿を載置ないしは供給しこの原稿に描かれた文字列若しくは絵柄又はこれらの結合等の画像を転写紙に複写する複写機や、例えばパソコンのワープロ上等で作成した上記と同様な画像を転写紙に印刷するプリンタ、また、通信回線等を介して送信されてくる上記と同様な画像を印刷するファクシミリ等が提供されている。また、これら複写機、プリンタ、ファクシミリ等の機能を一の装置内にすべて備えて構成した、いわゆる「複合機」も知られている。
【発明の開示】
【発明が解決しようとする課題】
【０００３】
ところで、従来の画像形成装置においては、画像を形成するのに加え、日時やスタンプ、あるいはページ等に係る付加情報を印字する機能を備えたものが知られている。しかしながら、従来の印字機能は、例えばスタンプ印字等につき、その印字位置が予め定められていてこれを変更することができなかったり、また、ページ印字については、単に読み込んだ原稿順にページを印字するといった如く極く単純な機能のみが搭載されている等、見やすく、かつユーザの要望に合わせた印字を実施するという点でやや問題があった。
【０００４】
例えば上記のような問題点として、ここでは特に、章立てされた原稿群に関し、これを転写紙上に画像形成する際に、ページに係る印字機能を併せて実施するときの問題点を挙げて説明する。ここに、章立てされた原稿群とは、例えば「第１章」を構成する原稿頁数が６頁、「第２章」に同頁数が８頁といった場合に分別されているような原稿群で、このとき原稿枚数は通算１４頁あることになるが、これを転写紙上に画像形成し、かつページを同時に印字する際に、「ｐ１、ｐ２、…、ｐ１４」というふうに印字するのでは、「章」と「ページ」との関連がとられておらず、見にくいページ印字となっていた。
【０００５】
本発明は、上記事情に鑑みてなされたものであり、その目的とするところは、見やすくかつユーザの多様な要望に応え得る印字機能を有する画像形成装置を提供することにある。
【課題を解決するための手段】
【０００６】
本発明は上記課題を解決するために以下の手段をとった。
【０００７】
請求項１記載の画像形成装置は、原稿群を構成する各原稿に記載されている画像を読み取るとともに、該画像を複数の記録材に対し形成する際、当該画像とは別にページ情報を当該記録材に印字することが可能な画像形成装置において、各々番号を付しつつ二以上の小部の原稿束に関する分別・設定を実施し得るとともに、当該二以上の小部の原稿束により前記原稿群を構成する入力手段と、前記ページ情報の前記記録材に対する印字を前記番号に対応した形式で、かつ当該記録材に対する前記画像の形成とともに実施する制御手段を備えていることを特徴とするものである。
【０００８】
また、請求項２記載の画像形成装置は、請求項１記載の同装置において、前記番号が、前記原稿束を一単位として付す章番号であることを特徴とする。そして、請求項３記載の画像形成装置は、請求項２記載の同装置において、前記分別・設定は、前記章番号を変更しようとする原稿が、前記原稿群内の何枚目に位置するかを指定することによって実施することを特徴とする。
【０００９】
さらに、請求項４の画像形成装置は、請求項１記載の同装置において、前記番号が、前記原稿束を画像形成上の一単位として付すＪＯＢ番号であることを特徴とする。
【００１０】
最後に、請求項５記載の画像形成装置は、請求項１記載の画像形成装置において、前記読み取りを、前記原稿群を構成する全原稿について一括して行った後に、前記ページ情報の前記記録材に対する印字を前記全原稿の数の印字と併せて、かつ当該記録材に対する前記画像の形成とともに実施する制御手段を備えていることを特徴とするものである。
【発明の効果】
【００１１】
本発明の画像形成装置によれば、記録材上に対する画像の形成とともに実施される、定形スタンプ、ページ情報、日付・時刻情報等から構成される付加情報の印字を、当該記録材上の任意の位置に実施することが可能であり、また、その調整を実施することもできる。また、本発明は、上述したように、小冊子形式に係るページ印字、章立てに係るページ印字、ＪＯＢに係るページ印字等を、各々に適した形式で実施することもできる。
【００１２】
本発明によれば結局、ページ印字を初めとする付加情報の印字を、見やすく、かつユーザの要望に沿った形で実施することができる。
【発明を実施するための最良の形態】
【００１３】
以下では、本発明の実施の形態について図を参照しつつ説明する。図１は、本実施形態に係る複写装置（画像形成装置）の構成例を示す概要図である。図１において、複写装置は、大きく画像読取部１０、画像書込部２０、画像形成部３０、転写紙搬送部４０、転写紙排紙部５０、及び転写紙反転部６０から構成され、さらに装置本体に外付けされる形で、外部給紙手段４１Ｌ及び複写後処理部７０が設けられている。なお、本実施形態にいう「転写紙」とは、本発明にいう「記録材」に該当する。
【００１４】
画像読取部１０は、原稿Ｓに記載されている文字列又は絵画を光源の照射光によって光情報として読み取り、これを電気情報に変換する部位である。
【００１５】
原稿Ｓは、その原稿面（画像が形成されている面）がプラテンガラス（原稿ガラス）１１表面に対向するよう、該プラテンガラス１１上に直接に載置される。光源１２は、この載置された原稿面に対し光を投射する。原稿面に達した光は、その画像情報を含む光（情報）となって当該面を反射しミラー１３に到達する。なお、光源１２及びミラー１３は、原稿面全体を走査するようプラテンガラス１１面に沿って移動可能な構成となっている。
【００１６】
また、本実施形態における複写装置は、自動原稿給送手段としての自動両面原稿搬送部（ＲＡＤＦ）１００を備えている。自動両面原稿搬送部１００は、図１に示すように、原稿載置台１０１に複数積層された原稿Ｓの束について、その一枚を分離して給送ローラ１００ａ及び１００ｂにより送り出し、これをローラ１００ｃを介してプラテンガラス１１Ａ上に供給するようになっている。プラテンガラス１１Ａ下には、固定された光源１２Ａとミラー１３Ａが設置されている。これらの構成により、上記と同様、複数の原稿Ｓの束に関し、その原稿面を連続して読み取ることができる。
【００１７】
上記の他、図１に示す自動両面原稿搬送部１００及びプラテンガラス１１Ａ等の構成においては、原稿Ｓの表裏両面を読み取ることも可能である。この場合においては、その一方の面を光源１２Ａにより読み取り、該読み取りが完了すると、反転ローラ１０２により原稿Ｓを一旦図中右方向に送り出し、その後反転ローラ１０２を反転させ当該原稿Ｓを図中左方向に搬送しつつそれをローラ１００ｃによって巻き取って、原稿Ｓの他方の面をプラテンガラス１１Ａ面に対向させるようにする。なお、自動両面原稿搬送部１００から供給され、光源１２Ａにより読み取られた原稿Ｓは、排紙皿１０３に順次積層されていく。
【００１８】
さて、上記したように光源１２又は１２Ａにより読み取られた原稿面に係る光情報は、以下、ミラー１４1、１４2又は１５1、１５2で反射を繰り返し、結像光学系１６を介してＣＣＤ撮像装置１７に達する。ＣＣＤ撮像装置１７には、光電変換機能を有する複数の画素が配列された光電面（不図示）を有しており、これら複数の画素によって前記原稿面の画像情報を含む光情報が受け取られ、これが電気情報に変換されることになる。
【００１９】
画像書込部２０は、上記のようにして得られた電気情報に基づき制御したレーザビームを、後述する感光体ドラム３１上に照射（書き込み）し、該感光体ドラム３１上に静電潜像を形成する部位である。
【００２０】
原稿面に係る光情報が変換されその画像情報を含む前記電気情報は、図示しない半導体レーザから発振するレーザビームに係る制御を実施するために用いられる。前記電気情報に基づいて制御され発振されたレーザビームは、駆動モータ２１にその中心部が接続され回転可能とされたポリゴンミラー２２に照射され、ここを反射した該レーザビームは反射ミラー２３を介して感光体ドラム３１上に照射される。ここに、ポリゴンミラー２２がレーザビームを反射しつつ回転することにより、感光体ドラム３１上では、該レーザビームの照射が、その軸方向に関して走査されながら行われることになる。このレーザビームの照射により、感光体ドラム３１上には、前記電気情報に基づいた静電潜像が形成される。
【００２１】
画像形成部３０は、上記感光体ドラム３１上に形成される静電潜像を基にして転写紙Ｐ上に画像を形成する部位である。
【００２２】
感光体ドラム３１には、上述したようにレーザビームの照射による静電潜像が形成されるが、その前提作業として当該感光体ドラム３１表面全体を帯電部３２によって一様に帯電させておく。現像部３３は、前記静電潜像に対して帯電したトナー粒子を付着させてこれを可視化する。転写部３４では、別途給送されてくる転写紙Ｐ面に対して、前記トナー粒子を転写・付着させ、該転写紙Ｐ面上にトナー像を形成する。
【００２３】
以下、感光体ドラム３１上に対しては、分離部３５が該感光体ドラム３１に吸着した転写紙Ｐを分離し、クリーニング部３６が前記転写作用後感光体ドラム３１上に残ったトナーを清掃して清浄面を現出し、再び帯電部３２による一様帯電及びレーザビーム照射による静電潜像の形成が行われ得るようにする。一方、転写紙Ｐについては搬送機構３７を介して定着部３８へと送られる。定着部３８は、熱ローラ３８ａ及び３８ｂによって転写紙Ｐに熱及び圧力を加え、前記転写されたトナー像の定着を図って、画像が形成される。転写紙Ｐはこの後、転写紙排紙部５０に設けられた数個のローラを介して、複写装置外部へと排紙される。この時点において、原稿面に係る画像の、転写紙Ｐ面に対する「複写」が完了することになる。
【００２４】
ちなみに、本実施形態における複写装置においては、上記した感光体ドラム３１から転写紙Ｐへのトナー像の転写を、転写紙Ｐの一方の面のみへ行うのではなく、その他方の面に対しても実施することが可能である。この場合においては、片面複写を終えた転写紙Ｐは転写紙反転部６０へと搬送される。ガイド部６１は、この転写紙反転部６０と上記転写紙排紙部５０とに関する転写紙Ｐの搬送経路切換を行う。ガイド部６１が転写紙Ｐを図中下方に搬送するように切り換えられると、該転写紙Ｐは、反転ローラ６２を介して反転部６３へと搬出される。次に、転写紙Ｐが反転部６３へ所定量送出された状態において、反転ローラ６２を反転させ、該転写紙Ｐを反転搬送経路６４へと搬送する。以下、転写紙Ｐは当該経路６４を通過して、再び感光体ドラム３１の上流側に到達する。このとき、感光体ドラム３１面と対向する転写紙Ｐ面は、転写紙反転部６０を通過する前に転写された面とは、別の面となっている。なお、一般的には、このように反転された転写紙Ｐに実際に画像形成を行う際、感光体ドラム３１上には前記画像書込部２０によって新たな画像情報の書き込みをなしておく。
【００２５】
転写紙搬送部４０は、上記した画像形成部３０とりわけその感光体ドラム３１に対して転写紙Ｐを搬送する部位である。
【００２６】
転写紙Ｐは、段状に構成された複数の給紙カセット（給紙手段）４１（図では、４１1、４１2、４１3の三つの給紙カセット）内の各々に設けられたトレイ４２上に積層・載置される。これら給紙カセット４１は、上記画像形成部３０に転写紙Ｐを送出する際、すなわち画像形成する際には装置本体内に納まり、転写紙Ｐを補充する際には前記装置本体から引き出すことが可能なように構成されている。また、給紙カセット４１1、４１2及び４１3の各々については、例えば第一の給紙カセット４１1には「Ａ４」、第二の給紙カセット４１2には「Ａ３」等、サイズの異なる転写紙Ｐを対応させて収納したり、また、第一の給紙カセット４１1にはＡ４サイズの厚紙、第二の給紙カセット４１2には同サイズの薄紙等、紙種の別毎に対応させて、各々収納しておくことが可能である。
【００２７】
このような状態において、複写実行時に転写紙Ｐに関するサイズの指定や紙種の指定があれば、それに従って、対応する給紙カセットから転写紙Ｐが繰り出され、図１に示す複数の搬送ローラ等の構成によって前記画像形成部３０に向け、転写紙Ｐが搬送されることになる。
【００２８】
また、本実施形態においては、上記したような構成となる給紙カセット４１の他、転写紙Ｐを給紙する手段として、図１に示すように、手差トレイ４１Ｈと、大量の転写紙Ｐを予めストックしておくことが可能な外部給紙手段４１Ｌ（いわゆるＬＣＴ）とが設けられている。前者によれば、特別な転写紙やＯＨＰ等への画像形成を特別に行うような場合に対応することが可能となり、後者では大量の転写紙Ｐに対する連続した画像形成を行うことが可能となる。
【００２９】
なお、図１においては、三つの給紙カセットに手差トレイ４１Ｈ及び外部給紙手段４１Ｌの都合５つを設ける場合を示したが、本発明において、設け得る給紙手段の数は、原理的に限定されるものではない。すなわち、給紙手段はいくつ設けてもよい。
【００３０】
最後に、複写後処理部７０は、上記転写紙搬送部４０、画像形成部３０を通過（表裏両面複写の場合には、転写紙反転部６０をも通過）し、画像が形成された転写紙Ｐについて、その後処理を実施する部位である。
【００３１】
この複写後処理部７０は、より具体的に、画像が形成された後の転写紙Ｐに関し、ソーティング、ステープリング、パンチング等の各種処理を実施する。
【００３２】
ここに、ソーティングとは、連続的に排紙される転写紙Ｐを所望の順序で並べ、あるいは当該順序に従って積層していくような処理である。例えば、上記自動両面原稿搬送部１００を利用する場合において、その原稿載置台１０１上に載置される原稿束の積層順序と同様となるように、「複数部数」の転写紙Ｐを所望の順序に配紙する場合が該当する。なお、このような場合においては、排紙位置を順次変更していくような処理を実施する等、複写後処理部７０の連携動作を行う。
【００３３】
また、ステープリングとは、複数枚が積層された画像形成済みの転写紙Ｐに関し、その所定の位置に図示しない綴じ具を設け、当該転写紙Ｐを装丁する作業のことである。さらに、パンチングとは、上記ステープリングにおいて綴じ具を設けるのに代えて、複数枚積層された転写紙Ｐの所定位置に、後に綴じ紐等を通すための「装丁用の穴」を形成する作業のことである。
【００３４】
次に、上記機構的構成となる複写装置に関する電気的な装置構成例について、図２を参照して説明する。上記した画像読取部１０、画像書込部２０、画像形成部３０、転写紙搬送部４０転写紙反転部６０及び複写後処理部７０における各種機構等は、図２に示すように、中央制御手段（制御手段）Ｃによって統括、制御されるようになっている。また、この中央制御手段Ｃには、入力手段Ｃ１と記憶手段Ｃ２とが設けられている。
【００３５】
ここで、入力手段Ｃ１の具体的構成としては、例えば図３に示されるような、周知のタッチパネル９０を備えるもの等を採用すればよい。装置使用者は、このタッチパネル９０上に示されている各種ウインドウを指で押下・指示する等して、複写濃度や倍率、転写紙Ｐの出力設定等の変更を行うことができる。なお、このような場合においては、入力手段Ｃ１は、操作者に対する装置の設定状況等を伝達する表示手段をも兼ねることとなる。
【００３６】
また、記憶手段Ｃ２は、上記画像読取部１０によって読み込まれた原稿面に係る画像情報を一時記憶させておくような場合に利用される。例えば、以下で説明する「小冊子形式に係る画像形成」では、転写紙Ｐに対する実際の出力（画像形成）の前に、通常、複数の原稿から構成される原稿群すべてについての画像情報が、当該記憶手段Ｃ２に蓄えられることになる。
【００３７】
以下では、上記構成例となる複写装置の作用効果についての説明を、中央制御手段Ｃの役割を中心としつつ、図４、図１３、図１６及び図１９に示す作業手順例に則って行うこととする。
【００３８】
（付加情報の印字位置指定と調整）
これは、画像を転写紙Ｐに対し形成するに際し、日時やスタンプ、あるいはページ等に係る付加情報を印字するときに、当該印字位置が転写紙Ｐ上で自由に設定可能であることに関するものである。
【００３９】
まず、図４ステップＳ１に示すように、例えば図５に示されるような入力画面（入力手段）を通じて、印字しようとする付加情報を選択する。本実施形態における付加情報としては、図５に示すように、定形スタンプ、ページ（ページ情報）、ナンバリング、日付・時刻（日付・時刻情報）がある。なお、図５に示すような入力画面は、図３に示した基本画面中、例えば「応用機能」を指示することによって、現れるような構成としておけばよい。
【００４０】
ここで「定形スタンプ」とは、例えば「至急」、「社外秘」、「Confidential」、「COPY」（その他、図６参照）等、よく使用され得る予め定められた文字列（＝スタンプ）のことである。また、「ページ」あるいは「ナンバリング」とは、画像形成を複数枚の転写紙Ｐに実施する際等に、当該複数の転写紙Ｐに対して順次かつ適宜、連続して付す番号のことであり、「日付・時刻」とは、例えば複写実施時の現時刻のことである。
【００４１】
図５では、このような付加情報の中から、印字しようとするものを、例えば指により指示することで適宜選択する。いま、「定形スタンプ」を選択する場合を考えると、例えば図６に示すような画面を現出させ、ここにおいて、さらに印字しようとするスタンプ（例えば「至急」）を選択することになる。
【００４２】
さて次に、図４ステップＳ２に示すように、その印字しようとするスタンプの転写紙Ｐ上における印字位置を選択する。この印字位置の選択では、図６に示す印字位置選択エリア９１を利用する。すなわち、本実施形態においては、転写紙Ｐが、「左上」、「中央上」、「右上」、「左中」、「中央」、「右中」、「左下」、「中央下」、「右下」の計９か所の仮想領域に分割され、当該９か所の仮想領域からの選択（例えば「中央上」）を以て、印字位置の設定が可能となっている。
【００４３】
以上までの設定作業が完了したら、図４ステップＳ３に示すように、後は通常通り画像形成を行うようにすればよい。このことにより、任意に選択された付加情報を、転写紙Ｐ上の任意の位置に印字することが可能となる。
【００４４】
上記した構成例に関連させて、より具体的に言えば、中央制御手段Ｃが、上のように位置設定された情報に基づき、上記した画像書込部２０、とりわけ図示しない半導体レーザを直接に制御することによって、感光体ドラム３１上に形成される画像に係る静電潜像とともに、所定の位置に、所定の形態の付加情報に係る静電潜像を形成することで、転写紙Ｐ上への当該付加情報の印字が行われることになる。
【００４５】
なお、上記９か所からの付加情報の印字位置に関しては、予め、「デフォルト値」を定めておくと便宜である。すなわち、複写装置立ち上げ直後においては、例えば日付・時刻に関しては「右上」、ページに関しては「中央下」、というように印字されるべき位置の既定値が存すれば、その運用上、使用者の利便に資することになる。
【００４６】
ところで、本実施形態においては、上記計９か所からの位置選択・設定が可能であるという機能に加え、その位置選択後、付加的に、当該位置に関する微調整を実施することも可能である（図４ステップＳ２１及びＳ２２）。これは、図６に示す調整ボタン９２を押下して、例えば図７に示すような調整画面を現させ、これを利用して行う。すなわち、図６において示される９か所の各位置については、その各位置範囲内で予め「基準点」が定められているが、図７に示す方向ボタン９３及び数字調整ボタン９４等を利用することで、当該「基準点」からの微調整を行うことが可能となっている。図においては、基準点から、「上方向に１５．０ｍｍ」、「左方向に１０．０ｍｍ」の移動調整を行う様子が示されている。ちなみに、この調整は、上下左右の各方向にそれぞれ５０ｍｍ程度可能であるように設定するのが好ましい。
【００４７】
このような構成とすることで、例えば画像の形成位置と付加情報の印字位置とが重なり合う場合に、付加情報の印字位置を調整することで、それを回避することが可能となる。
【００４８】
（小冊子形式に係るページ印字）
これは、小冊子形式に係る画像形成を行う際に、それとともに実施されるページ印字について、当該印字位置を見やすい場所に実施しようとすることに関するものである。
【００４９】
ここに、「小冊子形式」とは、図８に示すように、二つ折りにした転写紙Ｐを重ね合わせ、その折曲部分ＰＭを綴じ合わせることで、最終的に「冊子ＢＬ」の形態とするような形式のことをいい、当該形式に係る画像形成とは、その冊子ＢＬを構成する複数枚の転写紙Ｐの各々に対する画像形成のことを意味する。この画像形成はまた、図９又は図１０に示すように、転写紙Ｐの一面（表裏面の区別を含む）につき、二つの画像が形成されることを含意する。
【００５０】
また、このような小冊子形式に対するページ印字は、図９又は図１０に示すような決まりに則って行わなければならない。図９は、左綴じ１２頁の冊子ＢＬ形式に対するページ印字方法の決まりを示すものであり、転写紙１枚目の表面には１頁目と１２頁目が、その裏面には２頁目と１１頁目が（以下、図参照）、というようにしなければならない。また、図１０は同じく右綴じの冊子ＢＬに対するページ印字方法の決まりを示すものである。
【００５１】
さらに、図９又は図１０に示した、いわば「縦向き冊子」の場合とは異なり、例えば図１１に示すような「横向き冊子」に対する画像形成を行う場合も考えられる。このような場合においても、転写紙Ｐの一面（表裏面の区別を含む）につき二つの画像が形成されること、また、ページ印字の決まりが存在することは、図９又は図１０の場合と同様である。
【００５２】
ちなみに、小冊子形式に係る画像形成を実施しようとする場合には、中央制御手段Ｃは、いま説明した図９、図１０又は図１１のような状況を「想定」するものとする。ここに「想定」とは、具体的に例えば、図９に従った小冊子形式に係る画像形成を行うに際しては、複数の原稿に係る画像情報を上記記憶手段Ｃ２に蓄えた後、その全画像情報に関し、転写紙Ｐの１枚目表面には、原稿の１枚目と１２枚目の画像情報を複写する等といった制御の実施を、「予め準備」することを意味する。なお、装置使用者は、中央制御手段Ｃに対し、このような小冊子形式に係る画像形成を実施する旨（「縦向き冊子」又は「横向き冊子」の別を含む）を、前記入力手段Ｃ１を介して設定することが可能なようになっている。
【００５３】
さて、本実施形態においては、このような小冊子形式に係るページ印字についても、上記した付加情報の印字位置設定等の作業と同様にして、印字位置の設定、及びその調整を行うことが可能である。すなわち、図５において、ページボタン９５を選択すれば、例えば図１２に示すような画面が現れるようにし、この図１２右方における図６と同様の印字位置選択エリア９１を利用して、そのページ（＝付加情報）の印字位置の選択ないし設定を行うことができる。つまり、この場合においては、図４に示すフローチャートと全く同様な流れに沿って、例えば「左上」等と選択された領域、あるいは基準点からの調整値にそのまま従ったページ印字が行われることになる。ただし、そのページ印字は、図９、図１０又は図１１に示した「決まり」に則して行われることは言うまでもない。
【００５４】
ここで、本実施形態においては、次に記す、「外側印字モード」によるページ印字を実施することも可能である。すなわち、図１３に示すように、当該「外側印字モード」を予め設定したときには、図４における付加情報の選択（ステップＳ１）、位置選択（ステップＳ２）については全く同様に行われるが、図１３ステップＴ１に示すように、印字位置選択エリア９１中、「中央上」、「中央」及び「中央下」（図９又は図１０に示した「縦向き冊子」の場合）の各領域、又は、「左中」、「中央」及び「右中」（図１１に示した「横向き冊子」の場合）の各領域が選択された場合、つまり冊子ＢＬの隣の頁に隣接しない領域が選択された場合を除く、いずれかの領域が選択された場合には、次のようなページ印字を実施する。
【００５５】
例えば図１０に示すような「縦向き冊子」形式に係る画像形成を実施する場合であって、「左下」が選択された場合には、中央制御手段Ｃは、そのページの印字位置を、図１４に示す符号Ｖ３で示されるようなものとして制御する。つまり、転写紙Ｐの１枚目の表面において、当該転写紙Ｐの左半面（１頁目）に関するページ印字は「左下」に、同右半面（１２頁目）に関しては『右下』にというようになる。
【００５６】
この点、もし「左下」という設定に単に従うならば、図１４に併せて示す符号Ｆのように、一貫して「左下」に対するページ印字が行われることになる。しかしながら、このような場合では、画像形成済みの転写紙Ｐを装丁すると、図８に示すように、折曲部分ＰＭ近傍に印字されるページは非常に見にくいこととなってしまう（例えば２頁目や４頁目等、要するにこの場合、偶数頁目）。
【００５７】
そこで、本実施形態では、上記したように、指定されたページ印字位置にそのまま従うのでは冊子ＢＬ形式にしたとき当該ページが見にくくなるような場合には、その印字位置を、当該冊子ＢＬの折曲部分ＰＭとなる転写紙Ｐの中央部分から離間した当該転写紙Ｐの縁付近に自動的に変更・設定するのである（図１３ステップＴ２）。換言すれば、当該印字位置が、冊子ＢＬの見開き時、転写紙Ｐの「外側」に位置するように変更されることになる。
【００５８】
なお、この場合においては、上記「左下」及び「右下」の他、「左中」及び「右中」（図１４中符号Ｖ２参照）、「左上」及び「右上」（図１４中符号Ｖ１参照）でも、全く同様な制御がなされる。また、選択ないし設定された印字位置が、「中央上」、「中央」及び「中央下」の場合には、図１４中、転写紙１枚目の表面を示す図において符合Ｒで示されるように、その設定通りの印字を行う（転写紙２枚目以降も同様、図１３ステップＴ１）。
【００５９】
また、上記したようなページ印字の制御は、図１１に示した「横向き冊子」の場合も全く同様に適用される。ただし、この場合においては、「縦向き冊子」の場合とは異なり、図１３ステップＴ１において「左中」、「中央」及び「右中」を除く、いずれかの領域が選択された場合に、同図ステップＴ２に示すように、「左上」及び「左下」、「中央上」及び「中央下」、「右上」及び「右下」の各々に関して、ページ印字位置の変更・設定が行われることになる。例えば「中央上」が選択された場合には、図１５中符号Ｗ２に示すような制御が行われる。その他の場合も同様である（図１５中、符号Ｗ１及びＷ３参照）。また、「左中」、「中央」及び「右中」が選択された場合には、「縦向き冊子」の場合と同様、その設定どおりのページ印字がなされる（図１３ステップＴ１）。
【００６０】
このようにすることで、画像形成済みの転写紙Ｐを冊子ＢＬ状に装丁した後にも、印字されたページの確認を容易に行うことができる。
【００６１】
また、上記した「外側印字モード」の設定時においては、これに代えて、「中央以外・外側印字モード」を設定することができる。つまり、この場合においては、図１３ステップＴ１における判断が「「中央」か？」に置換された、図１６に示すようなフローチャートとなる。
【００６２】
この「中央以外・外側印字モード」では、「縦向き冊子」の場合であって「中央上」又は「中央下」が選択された場合、又は、「横向き冊子」の場合であって「左中」又は「右中」が選択された場合に関し、図１３とは異なった特徴を有する。
【００６３】
まず、「縦向き冊子」の場合であって、例えば「中央上」が選択され場合には、その設定どおりにページ印字を実行すると、図１７中符号Ｒ１及びＲ２に示すような印字位置となるが、この「中央以外・外側印字モード」では、符号Ｒ１に示すページ印字位置は「左上」へ、符号Ｒ２に示すページ印字位置は「右上」へ、それぞれ変更される。
【００６４】
つまり、この場合においては、図１３又は図１４ではその設定どおりに印字されていた「中央上」の印字位置さえも、当該冊子ＢＬの折曲部分ＰＭとなる転写紙Ｐの中央部分から離間した当該転写紙Ｐの縁付近に自動的に変更・設定するのである（図１６ステップＴ２´）。そして、その変更は、当該印字位置が、冊子ＢＬの「見開き時」、転写紙Ｐの「外側」に位置するように変更されることになる。なお、「中央下」が選択された場合（図１７中符号Ｒ３及びＲ４）も、上記と同様にページ印字位置の変更（図１７中符号Ｖ３）がなされる。
【００６５】
また、「横向き冊子」の場合であって、例えば「左中」が選択された場合には、図１８中、符号Ｍ１及びＭ２に示すような印字位置となるべきところ、それぞれ、「左上」又は「左下」（図１８中符号Ｗ１）に変更される。また、「右中」が選択された場合も同様である（図１８中、符号Ｍ３及びＭ４から、符号Ｗ３で示される印字位置へ）。
【００６６】
なお、「中央」が選択された場合、あるいは上記した以外の他の領域が選択された場合は、図１３、図１４又は図１５と全く同様である。
【００６７】
そして、このような場合にあっても、上述したのと全く同様な効果を享受し得ることが明らかである。つまり、画像形成済みの転写紙Ｐを冊子ＢＬ状に装丁した後にも、印字されたページの確認を容易に行うことができる。
【００６８】
なお、図１３及び図１６は、説明の便宜上、「ページ印字」に関するフローのみが示されているが、「画像形成」も同時に行われることは当然である。ちなみに、後述する図１９においても、「ページ印字」のみについてのフローが示されているが、画像形成が同時に行われることは、図１３及び図１６の場合と全く同様である。
【００６９】
（章立てに係るページ印字）
これは、例えば複数枚の原稿からなる原稿群について既に章立てがされている場合、又は、ある原稿群に関する複数の転写紙上への画像形成に際し当該複数の転写紙に関し新たに章立てを行うような場合等において、当該章立てに対応するような見やすいページ印字を行おうとすることに関するものである。
【００７０】
この場合においては、まず、図１９ステップＵ１に示すように、上記したような「原稿群」に関する（あるいは、各原稿の原稿面内容に応じた）「章立て設定」が、複数の転写紙Ｐに関し行われることが前提となる。この「章立て設定」は、例えば次のようにするとよい。
【００７１】
いま原稿群がｎ枚の原稿より構成されるとすれば、（１≦）ｎ1＜ｎ2＜ｎ3＜…（≦ｎ）なる（読み込み途中時の）ｎ1、ｎ2、ｎ3、…に係る指定が可能である「章立て設定モード」を用意する。そして、自動両面原稿搬送部１００による当該原稿群に関する実際の読み取り時、かつ、ｎ1、ｎ2、ｎ3、…の各指定時においては、「章番号」を変更するような処理を実施する。
【００７２】
すなわち、いまの例では、当該モードにおいて、これより読み込むｎ枚の原稿群に関し、ｎ1枚目からｎ2枚目未満までは章番号が”１”（＝第１章）、ｎ2枚目からｎ3枚目未満までは章番号が”２”（＝第２章）等というように、一般に、ｎq-1以上ｎq未満の小部の原稿束を分別し、これを一単位として各々章番号を付したのと等しい設定がなされていることになる（ちなみに、ｎ1≠１のとき、１枚以上ｎ1枚以下にあたる小部の原稿束に関しては、これを例えば「表紙」や「まえがき」等と認定することができる）。
【００７３】
なお、「これより読み込む」原稿群ではなく、「既に読み込んだ（つまり、一括して読み込んだ）」原稿群に関しその画像情報を上記記憶手段Ｃ２において一時記憶しているような場合にも、その読み込んだ原稿群中に関する枚数の指定ｎ1、ｎ2、ｎ3、…を行えば、上記手法はそのまま適用することが可能なことは明らかである。
【００７４】
また、上記のような手法によれば、原稿群が既に章立てされているものであっても、あるいはまた、複写する複数枚の転写紙Ｐに関し新たに章立てする場合（原稿群については特に章立てがなされていない場合）であっても、全く同様な方法により「章立て設定」を行うことができる。
【００７５】
さて、このような「章立て設定」を実施した後、ページを印字しようとするときには、本実施形態において次のような作用効果を得る。
【００７６】
まず、「ページを印字」しようとすることに関しては上述の付加情報の印字と何ら変わるところはないから、基本的な操作としては、図５に示す選択画面から印字しようとする付加情報として「ページ」を選択し、例えば図１２に示す画面を現させる（図１９ステップＳ１及びＳ２参照）。そして、「章立て設定」に係る機能を実施するためには、この図１２からさらに、章立てページボタン９６を選択することになる。
【００７７】
後は、通常の画像形成を行うことにより、転写紙Ｐへのページ印字は、章立てに対応した形式、ないしは章立てに沿った形式で行われることになる。つまり、具体的には、第１章が６頁から構成されるときには、例えば「１−１、１−２、…、１−６」とページ印字され、第２章が８頁から構成されるときには、「２−１、２−２、…、２−８」とページ印字されることになる。
【００７８】
このような作用は、上記した枚数指定ｎ1、ｎ2、ｎ3、…と連動して実現されることは言うまでもない。いま説明の便宜上、ｎ1＝１（ｎ2、ｎ3は任意）とし、上記「連動」ということを、図１９を参照して逐次的に説明すると、次のようになる。
【００７９】
まず、１枚目（＝ｎ1枚目）から（ｎ2−１）枚目までの印字は、「１−１」から始まり「１（章）−（ｎ2−１）（ページ）」まで行われる。これは、図１９によれば、ステップＵ４及びＵ５の繰り返し（ステップＵ２及びＵ３含む、ｐの初期値は“０”）にあたる。ただし、図中ｘの値は２である。
【００８０】
そして、ｎ２枚目までの読み取りが完了すると（図１９ステップＵ４で「ｐ＝ｎx」）、その旨、画像読取部１０（とりわけ自動両面原稿搬送部１００）から中央制御手段Ｃに伝達され、該中央制御手段Ｃは、これを受けて画像書込部２０（とりわけ、半導体レーザ）に対し、次なる転写からは「２−１」より印字するよう制御を行う。つまり、再び図１９ステップＵ４及びＵ５の繰り返しを実施する。ただし、ステップＵ６により図中ｘの値は３となる。
【００８１】
後は、これが読取完了まで繰り返し行われることになる（図１９ステップＵ２及びＵ３参照）。なお、図１９に示す処理例は単なる一例示に過ぎず、本発明を限定する趣旨を有するものではない。
【００８２】
ちなみに、記憶手段Ｃ２において一時記憶された原稿群に関し、上記「連動」を実現するためには、当該記憶手段Ｃ２における一枚一枚（表裏面の区別を含む）の原稿の記憶内容毎に、当該原稿が原稿群全体の中で何枚目であるかという枚数に関する情報ないしは属性を付すとともに、この属性を確認し得るチェック手段を設け、該チェック手段からの伝達を中央制御手段Ｃが受けて、指定ｎ1、ｎ2、ｎ3、…と一致するか否かを判断し得るような構成とすればよい。
【００８３】
このような章立てに対応した形式によるページ印字が行われることで、より見やすいページの印字が可能となる。
【００８４】
（ＪＯＢに係るページ印字）
これは、複数の原稿束の各々が「ＪＯＢ」として分別され得る原稿群について、当該ＪＯＢ毎に対応するような見やすいページ印字を行おうとすることに関するものである。
【００８５】
ここで、「ＪＯＢ」とは、ある一の原稿束に係る画像情報と、その原稿束に関する画像形成を実施する上で、複写装置（本装置）を駆動するのに必要となる動作環境条件（設定情報）とにより「一単位」として定義される、画像形成を実施する上での単位である（なお、図３参照）。
【００８６】
原稿束に係る画像情報とは、当該原稿束を構成する各原稿の原稿面に記載されている内容（文字、絵柄等）のことである。また、動作環境条件とは、換言すれば、上記画像情報を出力する際の複写装置に関する制御条件のことである。具体的には、原稿又は転写紙Ｐに関するＡ４／Ｂ５等のサイズに係る区別、同じく厚紙／薄紙等の紙種（種別）に係る区別、また、ステープル実施／不実施等の画像形成後の転写紙処理に係る区別、等の情報が含まれる。そして、当該ＪＯＢに関する実際の出力時においては、例えば転写紙Ｐの紙種の別に関しては該当する紙種の転写紙Ｐを積載する上記給紙カセット４１の選択制御により、また、ステ−プル実施／不実施に関しては上記複写後処理部７０の制御態様を異ならせることにより、等と対応することになる。より詳しく、例えば原稿群を三つの原稿束に分別する場合を想定すると、「動作環境強条件」として、第一のＪＯＢについては「Ａ４色紙」に対する画像形成、第二のＪＯＢについては「Ａ４厚紙」に対する画像形成、第三のＪＯＢについては「Ａ４普通紙・両面複写」というように、各々異なるように設定する場合が考えられる。
【００８７】
さて、この「ＪＯＢ」を使用した画像形成を実施し、かつページ印字を行おうとする場合においては、例えば上記原稿群が内容的に関連性を有するものであって、これを上記したように「分別する」場合を想定すると明らかとなるように、「ＪＯＢ」を「章」に見立ててページを印字するようにすれば、画像形成後の転写紙Ｐの整理等が容易になるなど、見やすいページ印字となる。
【００８８】
すなわち、第一のＪＯＢが６頁により構成されるときには、「１−１、１−２、…、１−６」と、第二のＪＯＢが８頁により構成されるときには、「２−１、２−２、…、２−８」と、各々ページ印字されると、第何番目のＪＯＢによる画像形成であるかが一目瞭然となり便利である。
【００８９】
そして、このようなページ印字を実現するには、上述した「章立てに係るページ印字」と略同様な制御を実施すればよい。
【００９０】
ただし、この場合においては、図１９ステップＵ１における「章立て設定」に代わり「ＪＯＢ設定」を行うことになる。ここで、「ＪＯＢ設定」とは、例えば図３最右方かつ最下方に示す原稿読込ボタン９７を指示して複数の原稿束に関する読み込みを各々済ませつつ、これら各々について、入力手段Ｃ１を用いた「確定」を実施していけば、順次、第一のＪＯＢ、第二のＪＯＢ、…、というように、各ＪＯＢが自身固有のＪＯＢ番号の属性が付されつつ、その設定作業が完了していくことになる。
【００９１】
また、図１９ステップＵ４における「ｐ＝ｎx？」なる判断に代わり、上記したＪＯＢ番号をＰjobとすれば、「Ｐjobの数値確認」に係る工程が置換され、図１９ステップＵ５における「ページ印字『（ｘ−１）−１，…，（ｎx−１）』」に代わり、「ページ印字『Ｐjob-1，2，…，m』」となる。ここに「ｍ」とは、一つのＪＯＢ番号Ｐjob内で把握された原稿の枚数のことであることは言うまでもない。なお、この「ＪＯＢに係るページ印字」では、図１９ステップＵ２及びＵ３は必要ない。
【００９２】
（全頁数の表示を伴うページ印字）
これは、原稿群を構成する全原稿数（全頁数）の表示とともに、各ページの印字をも同時に実施することで、見やすいページ印字を行おうとすることに関するものである。
【００９３】
本実施形態においては、この機能の実施には、原稿群に係る読み取りが「一括」して行われる場合に限られる、という制約を伴わせることに特徴がある。すなわち、例えば原稿群が３５枚ある場合には、その３５枚に関する読み込みが一括して行われる場合に限り、全頁数表示を伴うページ印字を行い得るようにしておくとよい。このようにしておけば、全原稿数が何枚になるか不確定な時点において上記機能を実施したときに、何らかのエラーが生じるといった不具合を招くことなく、確実な情報に基づいたページ印字を実施することができる。
【００９４】
ここで、「一括読み込み」に関しては、例えばそのような「モード」（以下、「一括読み込みモード」という）を予め用意しておくことにより、それが実現されるようにしておくとよい。より具体的には、上記した「小冊子形式に係る画像形成」においては、通常、冊子ＢＬを構成するに必要な原稿をすべて読み込んでから、出力を行うようにしておけば便宜であるから、このようなときを、「一括読み込みモード」による読み込み対象とすればよい。また、一枚の転写紙Ｐ上に複数枚の原稿内容を複写する工程を含むような場合にも、「一括読み込みモード」方式が妥当するといえよう。
【００９５】
以上の「一括読み込みモード」を経て読み込まれた原稿群に関し、その画像形成時にページ印字を併せて行う場合には次のようになる。まず、「ページ印字」を実施することに関しては上記各機能と変わりはないから、基本的な操作としては、図５に示す選択画面から印字しようとする付加情報として「ページ」を選択し、図１２に示す画面を現させる。そして、「全頁数の表示を伴うページ印字」に係る機能を実施するためには、この図１２からさらに、全頁数表示随伴ページボタン９８を選択することになる。
【００９６】
後は、通常の画像形成を行うことにより、転写紙Ｐへのページ印字は、全頁数の表示を伴った形式で行われることになる。つまり、全原稿数がｎ枚であるような場合には、１ページから順次、「１／ｎ，２／ｎ，…，ｎ／ｎ」なるページ印字が行われることになる。
【００９７】
このようなことから、確定的な全頁数情報に基づき、見やすいページ印字を実施することができる。
【図面の簡単な説明】
【００９８】
【図１】本実施形態に係る複写装置の構成例を示す概要図である。
【図２】本実施形態に係る複写装置の電気的な構成例を示す概要図である。
【図３】本実施形態に係る入力手段の具体的構成例を示す概要図である。
【図４】付加情報の印字位置指定と調整を実施する作業手順例を示すフローチャートである。
【図５】付加情報選択画面の具体例を示す説明図である。
【図６】図５において、「定形スタンプ」を選択した際に現出する画面の具体例を示す説明図である。
【図７】図５において、「調整ボタン」を選択した際に現出する画面の具体例を示す説明図である。
【図８】冊子の形態を説明する概要図である。
【図９】図８に示す冊子に係る画像形成及びページ印字の様子を示す説明図であって、当該冊子が左綴じ１２頁の構成である場合に関するものである。
【図１０】図９と同様な説明図であって、当該冊子が右綴じ１２頁の構成である場合に関するものである。
【図１１】図９又は図１０とは異なり、横向き冊子に係る画像形成及びページ印字の様子を示す説明図であって、当該冊子が１２頁の構成である場合に関するものである。
【図１２】図５において、「ページボタン」を選択した際に現出する画面の具体例を示す説明図である。
【図１３】「外側印字モード」において、小冊子形式に係るページ印字を実施する作業手順例を示すフローチャートである。
【図１４】図１３の場合において、縦向き冊子に対するページ印字の制御の様子を示す説明図である。
【図１５】図１３の場合において、横向き冊子に対するページ印字の制御の様子を示す説明図である。
【図１６】「中央以外・外側印字モード」において、小冊子形式に係るページ印字を実施する作業手順例を示すフローチャートである。
【図１７】図１６の場合において、縦向き冊子に対するページ印字の制御の様子を示す説明図である。
【図１８】図１６の場合において、横向き冊子に対するページ印字の制御の様子を示す説明図である。
【図１９】章立てに係るページ印字を実施する作業手順例を示すフローチャートである。
【符号の説明】
【００９９】
１０  画像読取部
２０  画像書込部
３０  画像形成部
４０  転写紙搬送部
５０  転写紙排紙部
６０  転写紙反転部
７０  複写後処理部
Ｃ  中央制御手段（制御手段）
Ｐ  転写紙（又はワイド紙）
【図１】
2007221811.tif 000003
【図２】
2007221811.tif 000004
【図３】
2007221811.tif 000005
【図４】
2007221811.tif 000006
【図５】
2007221811.tif 000007
【図６】
2007221811.tif 000008
【図７】
2007221811.tif 000009
【図８】
2007221811.tif 000010
【図９】
2007221811.tif 000011
【図１０】
2007221811.tif 000012
【図１１】
2007221811.tif 000013
【図１２】
2007221811.tif 000014
【図１３】
2007221811.tif 000015
【図１４】
2007221811.tif 000016
【図１５】
2007221811.tif 000017
【図１６】
2007221811.tif 000018
【図１７】
2007221811.tif 000019
【図１８】
2007221811.tif 000020
【図１９】
2007221811.tif 000021